【事件の表示】
　上記当事者間の特許第３１５０２４７号発明「エアマッサージ装置」の特許無効審判事件について，次のとおり審決する。
【結　論】
　訂正を認める。
　本件審判の請求は，成り立たない。
　審判費用は，請求人の負担とする。
【理　由】
第１　手続の経緯  
　本件特許第３１５０２４７号は，平成５年１２月２７日に出願され，平成１３年１月１９日に，特許権の設定登録がされたものであって，その後，平成１９年７月１１日に請求人ファミリー株式会社より無効審判が請求され，これに対して被請求人株式会社フジ医療器より平成１９年１０月２日付けで答弁書が提出されるとともに，同日付けで訂正請求がなされ，これに対し請求人より平成１９年１１月１２日付けで弁駁書が提出され，平成２０年１月３０日に口頭審理が行われ，同日付けで請求人，被請求人より口頭審理陳述要領書が提出され，その後，請求人より平成２０年２月１８日付けで上申書が提出され，被請求人より平成２０年３月１２日付けで上申書が提出され，平成２０年４月１４日付けで無効理由が通知され，これに対し被請求人から平成２０年５月１６日付けで意見書が提出されるとともに，同日付けで訂正請求書がなされ，これに対し請求人より平成２０年７月１０日付けで弁駁書が提出されたものである。
　　
第２　平成２０年５月１６日付の訂正の適否に対する判断　 
１．訂正事項　 
　平成２０年５月１６日付の訂正の内容は，本件特許発明の明細書を当該訂正請求書に添付した訂正明細書のとおりに訂正しようとするものであり，その内容は以下のとおりである。（下線部は訂正箇所を示す。） 
　
　なお，平成１９年１０月２日付の訂正の請求は，特許法第１３４条の２第４項の規定により，取り下げられたものとみなす。
　
・訂正事項ａ 
 特許請求の範囲を下記の通り訂正する。 
「【請求項１】エアマッサージ装置本体の人体当接面に沿って設けられた独立した複数の空気袋と、これら空気袋にエアを給排気して前記空気袋を膨張・収縮させるエア給排気装置とを備え，前記空気袋を膨張・収縮させて人体を部分的にマッサージする
椅子式
空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、
に給気を停止し、空気袋を一定時間とどめる時間（Ｔ２）において、前記所定量のエアが給気された空気袋を一定時間とどめ、その後、時間（Ｔ３）において、給気時間（Ｔ１）の間に
（Ｔ１）
（Ｔ１）
て空気袋の膨縮を行い、身体に圧迫を掛けながら前記空気袋の膨縮動作を複数回繰り返す
椅子式
 　 
【請求項２】エアマッサージ装置本体の人体当接面に沿って設けられた独立した複数の空気袋と、これら空気袋にエアを給排気して前記空気袋を膨張・収縮させるエア給排気装置とを備え、前記空気袋を膨張・収縮させて人体を部分的にマッサージする
椅子式
空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、
に給気を停止し、空気袋を一定時間とどめる時間（Ｔ２）において、前記所定量のエアが給気された空気袋を一定時間とどめ、その後、時間（Ｔ３）において、給気時間（Ｔ１）の間に
（Ｔ１）
（Ｔ１）
て空気袋の膨縮させて身体に圧迫を掛けながら前記空気袋の膨縮動作を複数回繰り返し、
椅子式
　 
・訂正事項ｂ 
明細書の段落番号【０００７】を下記の通り訂正する。 
「【０００７】 
【課題を解決するための手段】請求項１の発明は、エアマッサージ装置本体の人体当接面に沿って設けられた独立した複数の空気袋と、これら空気袋にエアを給排気して前記空気袋を膨張・収縮させるエア給排気装置とを備え、前記空気袋を膨張・収縮させて人体を部分的にマッサージする
椅子式
空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、
に給気を停止し、空気袋を一定時間とどめる時間（Ｔ２）において、前記所定量のエアが給気された空気袋を一定時間とどめ、その後、時間（Ｔ３）において、給気時間（Ｔ１）の間に
（Ｔ１）
（Ｔ１）
て空気袋の膨縮を行い、身体に圧迫を掛けながら前記空気袋の膨縮動作を複数回繰り返す
椅子式
空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、
に給気を停止し、空気袋を一定時間とどめる時間（Ｔ２）において、前記所定量のエアが給気された空気袋を一定時間とどめ、その後、時間（Ｔ３）において、給気時間（Ｔ１）の間に
（Ｔ１）
（Ｔ１）
て空気袋の膨縮させて身体に圧迫を掛けながら前記空気袋の膨縮動作を複数回繰り返し、
 　 
２．訂正の目的の適否、新規事項の有無及び拡張・変更の存否 
・訂正事項ａについて、 
　訂正事項ａは、特許明細書（甲第１号証）の特許請求の範囲の請求項３、特許明細書の段落【００４４】、【００４５】及び【図１２】の記載に基づき、訂正前の請求項１及び請求項２の「エアマッサージ装置」を「椅子式エアマッサージ装置」に訂正し、特許明細書段落【００４１】ないし【００４３】、【００７９】ないし【００８１】及び【図１１】、【図１６】の記載に基づき、空気袋への給排気の制御動作について、訂正前の請求項１に記載されていた「前記エア給排気装置は、前記複数の空気袋のうちの一部の空気袋に所定量のエアを給気した後、この給気したエアよりも少量のエアをその給気時間よりも短時間排気させ再びエアを前記給気時間よりも短時間給気させる制御手段」を「前記エア給排気装置は空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、前記複数の空気袋のうちの一部の空気袋に所定量のエアを給気した後に給気を停止し、空気袋を一定時間とどめる時間（Ｔ２）において、前記所定量のエアが給気された空気袋を一定時間とどめ、その後、時間（Ｔ３）において、給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い、身体に圧迫を掛けながら前記空気袋の膨縮動作を複数回繰り返す制御手段」に訂正し、訂正前の請求項２に記載されていた「前記エア給排気装置は、前記複数の空気袋のうちの一部の空気袋に所定量のエアを給気して膨張させた後、この給気したエアよりも少量のエアをその給気時間よりも短時間排気させ再びエアを前記給気時間よりも短時間給気させて膨張させる膨縮動作を数回繰り返し、その後空気袋のエアを全量排気させる制御手段」を「前記エア給排気装置は空気袋への給排気を制御する制御手段を備え、前記制御手段は、空気袋に給気のみを行う給気時間（Ｔ１）と、給気された空気袋を一定時間とどめる時間（Ｔ２）と、給気と排気を、給気と排気の間に空気袋を一定時間とどめる時間を介することなく繰り返す時間（Ｔ３）とによるたたき動作を制御するものであって、給気時間（Ｔ１）において、前記複数の空気袋のうちの一部の空気袋に所定量のエアを給気した後に給気を停止し、空気袋を一定時間とどめる時間（Ｔ２）において、前記所定量のエアが給気された空気袋を一定時間とどめ、その後、時間（Ｔ３）において、給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮させて身体に圧迫を掛けながら前記空気袋の膨縮動作を複数回繰り返し、その後空気袋のエアを全量排気させる制御手段」に訂正するものであるから、特許請求の範囲の減縮を目的とした訂正に該当する。  
 　 
・訂正事項ｂについて、 
　上記訂正事項ｂは、訂正事項ａの訂正に伴い発明の詳細な説明の記載を整合させるものであるから明りょうでない記載の釈明に該当する。 
　そして，上記訂正事項ａ及びｂは，いずれも特許明細書に記載した事項の範囲内のものであり，また，実質上特許請求の範囲を拡張し，又は変更するものではない。
　
３．訂正の適否のむすび
　以上のとおりであるから，本件訂正は，特許法第１３４条の２第１項ただし書各号に掲げる事項を目的とするものであり，また，同条第５項で準用する同法第１２６条第３項及び第４項の規定に適合するので，本件訂正を認める。
　　
第３　本件発明
　上記訂正が認められるので，本件の請求項１ないし２に係る発明（以下順に，「本件発明１」ないし「本件発明２」という。）は，上記訂正にかかる訂正明細書の特許請求の範囲の請求項１ないし２に記載された事項により特定される次のとおりのものである。
「【請求項１】エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージする
椅子式
空気袋への給排気を制御する制御手段を備え，前記制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，
に給気を停止し，空気袋を一定時間とどめる時間（Ｔ２）において，前記所定量のエアが給気された空気袋を一定時間とどめ，その後，時間（Ｔ３）において，給気時間（Ｔ１）の間に
（Ｔ１）
（Ｔ１）
て空気袋の膨縮を行い，身体に圧迫を掛けながら前記空気袋の膨縮動作を複数回繰り返す
椅子式
 　 
【請求項２】エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージする
椅子式
空気袋への給排気を制御する制御手段を備え，前記制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，
に給気を停止し，空気袋を一定時間とどめる時間（Ｔ２）において，前記所定量のエアが給気された空気袋を一定時間とどめ，その後，時間（Ｔ３）において，給気時間（Ｔ１）の間に
（Ｔ１）
（Ｔ１）
て空気袋を膨縮させて身体に圧迫を掛けながら前記空気袋の膨縮動作を複数回繰り返し，
椅子式
　　
第４　当事者の主張の概要
１．請求人の主張
　請求人は，「特許第３１５０２４７号の特許を無効とする。審判費用は被請求人の負担とする。」（平成１９年７月１１日付け審判請求書における請求の趣旨）との審決を求め，証拠方法として以下の甲第１号証〜甲第１８号証を提出し，無効とすべき理由を次のように主張している。
　
（１）理由１
　本件特許第３１５０２４７号（以下，「本件特許」という）の請求項１及び請求項２に係る発明は，本件特許の出願前に日本国内において頒布された甲第２号証に記載された発明であるから，特許法第２９条第１項第３号の規定により特許を受けることができないものである。
　したがって，その特許は特許法第１２３条第１項第２号に該当し，無効とされるべきである。
　　
（２）理由２
　本件特許の請求項１に係る発明は，本件特許の出願前に日本国内において頒布された甲第２号証及び周知技術（甲第３号証ないし甲第５号証）に基いて，その発明の属する技術の分野における通常の知識を有する者が容易に発明をすることができるから，特許法第２９条第２項の規定により特許を受けることができないものであり，また，本件特許の請求項２に係る発明は，本件特許の出願前に日本国内において頒布された甲第２号証及び周知技術（甲第３号証ないし甲第８号証）に基いて，その発明の属する技術の分野における通常の知識を有する者が容易に発明をすることができるから，特許法第２９条第２項の規定により特許を受けることができないものである。
　したがって，その特許は特許法第１２３条第１項第２号に該当し，無効とされるべきである。
　　
（３）理由３
　本件特許の請求項３に係る特許発明は，本件特許の出願前に日本国内において頒布された甲第２号証及び周知技術（甲第９号証ないし甲第１１号証）に基いて，その発明の属する技術の分野における通常の知識を有する者が容易に発明をすることができるから，特許法第２９条第２項の規定により特許を受けることができないものである。
　したがって，その特許は特許法第１２３条第１項第２号に該当し，無効とされるべきである。
　
　また，請求人は，平成２０年２月１８日付け上申書において，本件特許出願前に複数種類のマッサージ動作を組み合わせて行うことが周知技術（甲第１２号証ないし甲第１５号証）であることから，甲第２号証に記載された発明と甲第６号証に記載された発明との組み合わせ，及び，甲第２号証に記載された発明と甲第７号証に記載された発明との組み合わせは当業者が容易になし得るものである旨主張している。
　また，本件特許の給気された空気袋を一定時間とどめる時間（Ｔ２）は，周知のロータリバルブ（甲第１６号証ないし甲第１８号証）から構造上必然的に行われる動作である旨主張している。
　
　なお，証拠のうち甲第１号証ないし甲第１１号証は審判請求書に添付され，甲第１２号証ないし甲第１８号証は，その後提出されたものである。
　　
＜証拠方法＞
　甲第１号証　　特許第３１５０２４７号公報
　甲第２号証　　特開平３−２１２２７１号公報
　甲第３号証　　実公平２−１５４９９号公報
　甲第４号証　　特開平２−７７２５１号公報
　甲第５号証　　特公平３−４８８２５号公報
　甲第６号証　　特開平２−２４１４５２号公報
　甲第７号証　　実願昭６２−１８５６５５号（実開平１−９０５２９号）　　　　　　　　のマイクロフィルム
　甲第８号証　　実公平３−１０９９３号公報
　甲第９号証　　実願平３−９０７９２号（実開平５−３９５４３号）のＣ　　　　　　　　Ｄ−ＲＯＭ
　甲第１０号証　実願平４−２８３７８号（実開平５−７２３９号）のＣＤ　　　　　　　　−ＲＯＭ
　甲第１１号証　実願平３−１０１７８５号（実開平５−７０５３３号）の　　　　　　　　ＣＤ−ＲＯＭ
　甲第１２号証　特開平４−１３２５１８号公報
　甲第１３号証　特開昭６０−１９４９５２号公報
　甲第１４号証　特開平３−１９３０５３号公報
　甲第１５号証　特開昭６１−４５７５８号公報
　甲第１６号証　特公昭６１−１６１７９号公報
　甲第１７号証　実公昭６１−１０６８５号公報
　甲第１８号証　実公昭６４−４３５０号公報
　　　　　
２．被請求人の主張
　被請求人は，「本件審判請求は成り立たない。審判費用は請求人の負担とする。」（平成１９年１０月２日付け答弁書における答弁の趣旨）との審決を求め，訂正の請求をするとともに，答弁書において，下記の理由から，本件特許は無効とされるべきものではない旨を主張している。
　　
（１）理由１に対して，
　訂正後の請求項１及び請求項２に係る発明と甲第２号証に記載された発明及とは明らかに構成が異なることから，特許法第２９条第１項３号に該当しない。
　　
（２）理由２に対して，
　訂正後の請求項１に係る発明は，甲第２号証に記載された発明及び周知技術（甲第３号証ないし甲第５号証）に基いて，当業者といえども容易に創作できたものでもなく，また，訂正後の請求項２に係る発明は，甲第２号証に記載された発明及び周知技術（甲第３号証ないし甲第８号証）に基いて，当業者者といえども容易に創作できたものでもないから，許法第２９条第２項に該当しない。
　　
　また，請求人は，平成２０年３月１２日付け上申書とともに乙第１号証及び乙第２号証を提出し，通常の知識と経験を有する一般人であれば，たたきや指圧等といった表示ないし名称から，それらの各種動作を想起して区別することができる（乙第１号証）旨主張し，また，指圧動作とは，力を入れて押圧し，一定圧を持続した後に，力を抜いてゆく動作を繰り返すマッサージであり，押圧によって圧が一定圧に達したら，そのまま圧を緩めず，一定時間同じ圧に持続するものである（乙第２号証）から，甲第６号証ないし甲第７号証に記載されたマッサージ動作は，その記載からみて，押圧によって圧が一定に達すると，そのまま圧を緩めず，一定時間同じ圧に持続した後に，力を抜いてゆく動作を繰り返す指圧動作によるマッサージであるから，本件特許の給気と排気を繰り返すたたき動作とは異なる旨主張している。
　また，新たに提出された甲第１２号証ないし甲第１５号証によっても，甲第２号証と甲第６号証等の組み合わせからは，甲第６号証の第６図に示される複数回の繰り返し行われる往復動作（指圧動作）が終了した後に，甲第２号証の第４図に示される動作が開始される構成にしかならず，訂正された請求項１および請求項２に係る発明特定事項とは異なる旨主張している。
　また，ロータリーバルブの構造自体が本件特許の出願前に日本国内において周知であったとしても，その構造上，必然的に給気動作から排気動作に移る際，給気および排気が共に一定時間（Ｔ２）停止する動作になるという請求人の主張は誤りである旨主張している。
　　　　
＜証拠方法＞　
　乙第１号証　「ファミリーメディカルチェア　ｉ．ｎｅｏ　取扱説明書」，第１７〜１８頁
　
　乙第２号証　「図解基本術式　あん摩・マッサージ・指圧による全身調整」，第８２〜８３頁、２００６年３月１日発行
　
第５　平成２０年４月１４日付け無効理由通知
　当審が，平成２０年４月１４日付けで通知した無効理由（以下，「当審無効理由」という。）の概要は，以下のとおりである。
　
１．本件特許の請求項１に記載の発明と引用発明１（甲第２号証に記載の発明）との対比・判断  
　本件特許の請求項１に記載の発明と引用発明１を対比すると， 
両者は， 
「エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージするエアマッサージ装置において，前記エア給排気装置は，空気袋への給排気を制御する制御手段を備え，前記制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す制御手段を備えたエアマッサージ装置。」
の点で一致し， 
 　　　 
　次の点で相違している。 
　相違点１：前者が椅子式エアマッサージ装置であるのに対して，後者はそのようなエアマッサージ装置ではない点。 
 　 
　相違点２：前者の制御手段は，空気袋に給気のみを行う給気時間（Ｔ１）と，給気された空気袋を一定時間とどめる時間（Ｔ２）と，給気と排気を繰り返す時間（Ｔ３）とによるたたき動作を制御するものであって，給気時間（Ｔ１）において，前記複数の空気袋のうちの一部の空気袋に所定量のエアを給気した後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返すものであるのに対し，後者の制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す制御を行うものではあるが，空気袋に給気のみを行う給気時間（Ｔ１）と，給気された空気袋を一定時間とどめる時間（Ｔ２）と，給気と排気を繰り返す時間（Ｔ３）とによるたたき動作を制御するものではない点。 
 　　　　 
　そこで上記相違点について検討する。 
　まず，相違点１について検討する。 
　独立した複数の空気袋を備え，これらの空気袋にエアを給排気して空気袋を膨張・収縮させて人体をマッサージするエアマッサージ装置を椅子式とすることは，本願出願前周知の技術（例えば，甲第１１号証として提示された実願平３−１０１７８５号（実開平５−７０５３３号）のＣＤ−ＲＯＭ，段落【０００７】，【０００８】参照）であるから，引用発明１のエアマッサージ装置を椅子式とすることは，前記周知の技術に基いて当業者が容易に想到し得たことである。 
 　　 
　次に，相違点２について検討する。 
　引用発明２（甲第６号証に記載の発明）には，「空気袋２２の膨張収縮によって指圧子３を出没駆動するマッサージ機」において，「空気袋２２」の膨張収縮を制御する「制御ユニット７」の「制御回路」は，圧力センサーＳによって検出される圧力が設定圧となるまで空気袋２２に空気を供給する時間ｔ１と，この後にエアポンプＰを停止させるとともに排気弁Ｖを閉じた状態を維持して空気袋２２に供給された空気がとどまる時間ｔ２と，この後に排気弁Ｖを開いて空気袋２２の空気を排気し，次いで排気弁Ｖを閉じてエアポンプＰを駆動することにより，空気袋２２に空気を供給し，空気袋２２に対して給気と排気を繰り返す時間ｔ３を有するように，エアポンプＰと排気弁Ｖの動作を制御する点が示されている。 
　また，本件特許の請求項１に記載の発明の発明特定事項である「給気と排気を繰り返す時間（Ｔ３）とによるたたき動作」について，特許明細書（甲第１号証）の段落【００４３】の「高い位置で身体に圧迫を掛けながら短時間で空気袋１８ｂを最高点にまで到達させることが出来，短時間Ｔ３の間に多数回の膨縮を行い，ツボに有効な押圧を行うことが出来る。すなわち，空気袋１８ｂだけが短時間の間に膨縮が繰り返されるので，人体の一部をたたくことになり，たたきマッサージ効果が得られる。」の記載を参酌すれば，本件特許の請求項１に記載の発明の「たたき動作」とは，空気袋により，身体に圧迫を掛けながら膨縮動作を複数回繰り返すことで，ツボに有効な押圧を行うものといえ，引用発明２においても，空気袋２２に対して給気と排気を繰り返す時間ｔ３においては，空気袋２２の膨張収縮によって指圧子３を出没駆動し，身体を押圧するマッサージ動作を行うものであるから，引用発明２も本件特許の請求項１に記載の発明の「たたき動作」に相当する発明特定事項を備えている。 
　また，引用発明１と引用発明２はともに，空気袋にエアを給排気することで人体に対するマッサージを行うものであることを考慮すれば，引用発明１の空気袋の膨張・収縮の制御に，引用発明２の制御回路による空気袋２２の膨張・収縮の制御を適用し，上記相違点２に係る本件特許の請求項１に記載の発明の発明特定事項とすることは当業者であれば容易に想到し得たことである。 
　そして，本件特許の請求項１に記載の発明による効果も，引用発明１，引用発明２及び周知の技術から当業者が予測し得た程度のものであって，格別のものとはいえない。 
 　　  
　したがって，本件特許の請求項１に記載の発明は，引用発明１，引用発明２及び周知の技術に基いて，当業者が容易に発明をすることができたものである。
　　
２．本件特許の請求項２に記載の発明と引用発明１（甲第２号証に記載の発明）との対比・判断  
両者は， 
 「エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージするエアマッサージ装置において，前記エア給排気装置は，空気袋への給排気を制御する制御手段を備え，前記制御手段は，給気と排気を繰り返す時間を制御するものであって，前記複数の空気袋のうちの一部の空気袋に所定量のエアを給気して膨張させた後に給気を停止し，その後，給気時間の間に給気したエアよりも少量のエアをその給気時間よりも短時間排気させ再びエアを短時間給気させて空気袋を膨縮させて身体に圧迫を掛けながら前記空気袋の膨縮動作を複数回繰り返す制御手段を備えたエアマッサージ装置。」の点で一致し， 
 　 
　次の点で相違している。 
　相違点３：前者が椅子式エアマッサージ装置であるのに対して，後者はそのようなエアマッサージ装置ではない点。 
 　 
　相違点４：前者の制御手段は，空気袋に給気のみを行う給気時間（Ｔ１）と，給気された空気袋を一定時間とどめる時間（Ｔ２）と，給気と排気を繰り返す時間（Ｔ３）とによるたたき動作を制御するものであって，給気時間（Ｔ１）において，前記複数の空気袋のうちの一部の空気袋に所定量のエアを給気して膨張させた後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋を膨縮させて身体に圧迫を掛けながら前記空気袋の膨縮動作を複数回繰り返し，その後空気袋のエアを全量排気させるものであるのに対し，後者の制御手段は，給気と排気を繰り返す時間を制御するものであって，前記複数の空気袋のうちの一部の空気袋に所定量のエアを給気して膨張させた後に給気を停止し，その後，給気時間の間に給気したエアよりも少量のエアをその給気時間よりも短時間排気させ再びエアを短時間給気させて空気袋を膨縮させて身体に圧迫を掛けながら前記空気袋の膨縮動作を複数回繰り返すものではあるが，空気袋に給気のみを行う給気時間（Ｔ１）と，給気された空気袋を一定時間とどめる時間（Ｔ２）と，給気と排気を繰り返す時間（Ｔ３）とによるたたき動作を制御した後，空気袋のエアを全量排気させる制御を行うものではない点。 
 　　 
　そこで上記相違点について検討する。 
　まず，相違点３について検討する。 
　上記相違点１の検討で記載したとおり，独立した複数の空気袋を備え，これらの空気袋にエアを給排気して空気袋を膨張・収縮させて人体をマッサージするエアマッサージ装置を椅子式とすることは，本願出願前周知の技術であるから，引用発明１のエアマッサージ装置を椅子式とし，上記相違点３に係る本件特許の請求項２に記載の発明の発明特定事項とすることは当業者であれば容易に想到し得たことである。 
 　　 
　次に，相違点４について検討する。 
　上記相違点２の検討で記載したとおり，引用発明２には，空気袋２２の膨張収縮によって指圧子３を出没駆動するマッサージ機」において，「空気袋２２」の膨張収縮を制御する「制御ユニット７」の「制御回路」は，圧力センサーＳによって検出される圧力が設定圧となるまで空気袋２２に空気を供給する時間ｔ１と，この後にエアポンプＰを停止させるとともに排気弁Ｖを閉じた状態を維持して空気袋２２に供給された空気がとどまる時間ｔ２と，この後に排気弁Ｖを開いて空気袋２２の空気を排気し，次いで排気弁Ｖを閉じてエアポンプＰを駆動することにより，空気袋２２に空気を供給し，空気袋２２に対して給気と排気を繰り返す時間ｔ３を有するように，エアポンプＰと排気弁Ｖの動作を制御する点が示され，本件特許の請求項１に記載の発明の「たたき動作」に相当する発明特定事項も備えている。 
　また，引用発明２には，マッサージの終了時に空気袋２２内の空気を全部排出するように，エアポンプＰと排気弁Ｖの動作を制御する点も示されている。 
　そして，引用発明１と引用発明２はともに，空気袋にエアを給排気することで人体に対するマッサージを行う点で共通しているから，引用発明１の空気袋の膨張・収縮の制御に，上記引用発明２の制御回路による空気袋２２の膨張・収縮の制御を適用し，上記相違点４に係る本件特許の請求項２に記載の発明の発明特定事項とすることは当業者であれば容易に想到し得たことである。 
　そして，本件特許の請求項２に記載の発明による効果も，引用発明１，引用発明２及び周知の技術から当業者が予測し得た程度のものであって，格別のものとはいえない。 
 　　  
　したがって，本件特許の請求項２に記載の発明は，引用発明１，引用発明２及び周知技術に基いて，当業者が容易に発明をすることができたものである。 
 　 
３．むすび  
　以上のとおり，本件特許の請求項１に記載の発明及び本件特許の請求項２に記載の発明は，引用発明１，引用発明２及び周知技術に基いて，当業者が容易に発明をすることができたものであるから，本件特許の請求項１に記載の発明及び本件特許の請求項２に記載の発明についての特許は，特許法第２９条第２項の規定に違反してなされたものであり，同法第１２３条第１項第２号に該当するから，無効とすべきものである。
　　
第６　無効理由通知に対する被請求人の主張の概要
　被請求人は，平成２０年５月１６日付け意見書において，引用発明１は，給排気動作における給気時間と排気時間とを比較して後者が短時間であることが開示されているのであって，当初の給気時間と，その後の全ての給気時間及び排気時間とを比較して後２者が短時間であることを開示するものではない旨主張している。
　そして、本件特許の請求項１に記載の発明及び本件特許の請求項２に記載の発明が、複数回繰り返さえる膨縮動作を実行する全ての給気時間は，当初の給気時間に比較して短時間である点，及び，空気袋の膨縮を実行する給気と排気を繰り返す制御は，時間（Ｔ１）及び（Ｔ２）を経た後の制御である点で異なる旨主張し，無効理由通知において，本件発明１および本件発明２が，引用発明１と「前記制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す制御手段を備えたエアマッサージ装置。」で一致するとした点は誤りである旨主張している。
　そして，被請求人は，引用発明２が記載されている甲第６号証の第３頁左上欄２〜１２行の「第５図及び第６図に示すように，マッサージの開始にあたっては，圧力センサーＳによって検出される圧力が設定圧となるまで空気袋２２に空気を供給して指圧子３を突出させることで身体を押圧した後，エアポンプＰを停止させるとともに排気弁Ｖをしばし閉じたままの状態とし，この後に排気弁Ｖをしばし開いて指圧子３が身体に軽く接触するだけのところまで後退させ，次いで排気弁Ｖを閉じてエアポンプＰを駆動することにより，指圧子３を突出させて身体を押圧するのである。」の記載から，引用発明２は，「空気袋２２の膨張収縮を制御する制御ユニット７の制御回路は，（ｉ）圧力センサーＳによって検出される圧力が設定圧となるまで空気袋２２に空気を供給する時間と，（ii）この後にエアポンプＰを停止させると共に排気弁Ｖを閉じた状態を維持して空気袋２２に供給された空気がとどまる時間と，（iii）この後に排気弁Ｖを開いて空気袋２２の空気を排気する時間，とからなる一連の給排気動作（（i）〜（iii））を複数回繰り返すように，エアポンプＰと排気弁Ｖの動作を制御する点が示されている。」と認定すべきであるとし，意見書と同日付の訂正請求によって訂正された本件発明１および本件発明２の，給気と排気を繰り返す時間（Ｔ３）とによるたたき動作が，給気と排気の間に空気袋に供給された空気がとどまる時間を介することなく，給気と排気を連続的に繰り返す点を、引用発明２は備えていない旨主張している。
　そして，引用発明１の空気袋の膨張・収縮の制御に，上記引用発明２の制御回路による空気袋２２の膨張・収縮の制御を適用したとしても，本件発明１及び本件発明２の「前記制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御する」の構成に至ることはない旨主張している。
　　
第７　甲各号証に記載された発明
１．甲第２号証（特開平３−２１２２７１号公報）には次の事項が記載されている。  
 　 
ａ．「布団体に内蔵された複数個の袋体と，該袋体に空気を送出するエアーコンプレッサーと，該エアーコンプレッサーから前記袋体へ送出する空気の量を可変する弁体と，前記エアーコンプレッサーと前記弁体を制御駆動するコントローラーとからなり，前記複数個の袋体のうち１番目の袋体を空気で膨らませ，次に２番目の袋体が膨らみ始める時には前記１番目の袋体の空気が抜け始めるという波状マッサージを行うエアーマッサージ器内蔵の布団体において，前記袋体への空気の流入量を，袋体からの空気の流出量よりも大きくして，前記袋体内の空気圧の増加，減少を交互に繰り返しつつ，前記袋体内の空気圧を漸増させるべく，前記弁体を断続的に開閉する制御回路を前記コントローラーに設けたことを特徴とするエアーマッサージ器内蔵の布団体。」（特許請求の範囲，請求項１） 
 　 
ｂ．「［産業上の利用分野］本発明は，エアーマッサージ器を内蔵した布団体に係り，特に柔らかで身体にフィットする波状マッサージ効果と，断続的なバイブレーター的指圧効果の双方を発揮し得るエアーマッサージ器内蔵の布団体に関する。」（第１頁右下欄７〜１２行） 
 　 
ｃ．「また，前述した従来の波状マッサージ器内蔵の布団体にあっては，身体に心地よくフィットして使用者の腰部から肩首部に亘って全般的に柔らかくマッサージするのには好適であるものの，肩こり，腰痛，筋肉痛等に効果的な所謂「ツボ」の如く身体の各部位に対する局所的なバイブレーター的指圧効果を発揮させることはできなかった。・・・（中略）・・・本発明は，前述した不都合を解消するために案出されたものであり，空気袋体による柔らかで身体にフィットするマッサージを波状に作用させつつ，併せて身体の同一個所に断続的なバイブレーター的指圧作用を相乗的に発揮させることにより，肩こり，腰痛，筋肉痛等の身体の各部位に対して局所的な指圧効果をも発揮し，更に一段と優れた新陳代謝効果，疲労回復効果を発揮することのできるエアーマッサージ器内蔵の布団体を提供することを目的とする。」（第２頁左下欄９行〜右下欄１３行）　 
 　 
ｄ．「第１図乃至第３図は，本発明の一実施例を示すもので，第１図はブロック図，第２図は一部開口斜視図，第３図は要部断面図である。図中１は，エアーマッサージ器内蔵の布団体，２は圧縮空気を生成するエアーコンプレッサー，３はエアーコンプレッサー２から送出された空気を貯留するチャンバー，４はチャンバー３と連通し，空気の流入，排出により自在に膨張，収縮する伸縮性に富むゴムもしくはウレタン等から成る袋体，５はチャンバー３内の空気を外部に排出する電磁バルブ等から成る弁体，６は弁体５を開閉させるソレノイド，７はソレノイド６を駆動するソレノイド駆動手段７ａと，ソレノイド駆動手段７ａの駆動時間間隔を自在に設定することができる。例えば発振回路から成る時間間隔設定手段７ｂとから成る制御回路である。　そして，前記時間間隔設定手段７ｂにおいて２〜３０Ｈｚの方形波を発振させ，ソレノイド駆動手段７ａによりソレノイド６を駆動し，弁体５を０．０３〜０．５秒周期で開閉することにより，チャンバー３内の空気を０．０３〜０．５秒周期で外部に排出する。前記チャンバー３内の空気が排出されると，チャンバー３に連通する袋体４内の空気圧も同時に減少する。また，弁体５を閉じると，エアーコンプレッサー２からチャンバー３を介して袋体４に空気が送出され，袋体４内の空気圧が上昇する。然して，第４図の袋体内の空気圧変化特性図に示す如く，袋体４への空気の流入量を袋体４からの空気の流出量よりも大きくして，袋体４内の空気圧の増加，減少を交互に繰返しつつ袋体４内の空気圧が漸増するように，エアーコンプレッサー２の空気圧縮率及び弁体５の開閉動作等を設定することにより，第４図のグラフにおける鋸状の各山部分において断続的なバイブレーター的指圧効果を発揮するものである。また，この指圧効果は，袋体４の内容積に応じた最大の空気圧となった状態においても発揮し得る。」（第３頁左上欄１５行〜左下欄１１行） 
 　 
ｅ．「布団体８は，・・・（中略）・・・上層９と，・・・（中略）・・・中層１０と，・・・（中略）・・・下層１１の三層から構成されている。・・・（中略）・・・この三層構造布団における中層１０の凹部１０ａ”上面と上層９下面間の各空間には，８個の袋体４ａ，４ｂ，４ｃ，４ｄ，４ｅ，４ｆ，４ｇ，４ｈが各袋体の両側縁部を中層ｌ０の上面凸部１０ａ’に止着されて設けられている。そして，この袋体４ａ〜４ｈは，エアーコンプレッサー２から空気を送出されていない状態では偏平であり，且つ前記中層１０の凹部１０ａ”上面と上層９下面間の空間内に収納されるものであり，三層構造の布団体８に備わる形状・弾力性等の特性を損なうことがないものである。 
　前記した８個の袋体４ａ〜４ｈは，布団体における使用者の膜部分から肩首部分にかけて配されており，そしてコントローラー１２に内蔵されたエアーコンプレッサー２から，同じくコントローラー１２に内蔵されたチャンバー３を介して使用者の足方向の袋体４ａに対して空気が送出されて，袋体４ａが膨らむ。この袋体４ａに対する空気の送出方法は，前述した如く空気圧の増加，減少を交互に繰返しながら漸増させる方法であるが，コントローラー１２に切換スイッチ（図示せず）を設けて，従来の波状マッサージ器のように空気圧が一定に増加し続ける方法を選択できるようにしてもよい。次に，コントローラー１２に内蔵された自動調節装置（図示せず）により，隣の袋体４ｂを膨らませるが，この時に前記袋体４ａ内の空気を排気して，袋体４ａを収縮させ，袋体４ｂが一杯に膨張した時には，袋体４ａは完全に排気される。そして，同様に袋体４ｃが膨張する時には，袋体４ｂが収縮し始めるという動作を首部分の袋体４ｈに至るまで繰り返すものであり，この袋体４ｈが収縮し始めるときには再び前記袋体４ａが膨張するという動作を繰り返す。然して，使用者は布団体８の上に仰臥してコントローラー１２を操作し，エアーコンプレッサー２と弁体５とを制御駆動することで，断続的なバイブレータ的指圧効果を受けながら波状のマッサージ効果を相乗的に享受し得るものである。 
 　尚，コントローラー１２にボリューム（図示せず）を設けて，前記断続的なバイブレーター的指圧動作の時間間隔を可変できるようにしたり，タイマーを設けたり，一つの袋体４のみを固定してバイブレーター的指圧作用を発揮させるようにしてもよい。」（第３頁左下欄１５行〜第４頁右上欄１１行） 
 　 
ｆ．「［発明の効果］以上詳述の如く，本発明のエアーマッサージ器内蔵の布団体によれば，空気袋体による柔らかで身体にフィットする波状マッサージ効果と，身体の特定個所に対する断続的なバイブレーター的指圧効果の双方を発揮することができることから，使用者は二つの有用な相乗的効果を享受することができ，特に肩こり，腰痛，筋肉痛等を有する人にあっては，前述したソフトなマッサージとあいまって，局所的なバイブレーター的指圧効果をも享受でき，さらに一段と効果的な疾病治療効果が発揮される。」（第４頁右上欄１７行〜左下欄第８行） 
 　　 
ｇ．上記記載事項「ｄ．」の「第４図の袋体内の空気圧変化特性図に示す如く，袋体４への空気の流入量を袋体４からの空気の流出量よりも大きくして，袋体４内の空気圧の増加，減少を交互に繰返しつつ袋体４内の空気圧が漸増するように，エアーコンプレッサー２の空気圧縮率及び弁体５の開閉動作等を設定する」の記載，上記記載事項「ｅ．」の「８個の袋体４ａ〜４ｈは，布団体における使用者の膜部分から肩首部分にかけて配されており，そしてコントローラー１２に内蔵されたエアーコンプレッサー２から，同じくコントローラー１２に内蔵されたチャンバー３を介して使用者の足方向の袋体４ａに対して空気が送出されて，袋体４ａが膨らむ。この袋体４ａに対する空気の送出方法は，前述した如く空気圧の増加，減少を交互に繰返しながら漸増させる方法である」の記載，及び，「使用者は布団体８の上に仰臥してコントローラー１２を操作し，エアーコンプレッサー２と弁体５とを制御駆動することで，断続的なバイブレータ的指圧効果を受け」の記載から，「布団体８」に内蔵された複数個の「袋体４（４ａ〜４ｈ）」は，人体当接面に沿って設けられた独立した複数の袋体であり，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記袋体の膨縮動作を複数回繰り返すことにより，人体に対して断続的なバイブレータ的指圧効果を及ぼすものであることが理解される。 
 　 
　上記記載事項を総合すると，甲第２号証には，次の発明（以下，「引用発明１」という。）が記載されているものと認められる。 
 　　 
「エアーマッサージ器内蔵の布団体１の人体当接面に沿って設けられた独立した複数の袋体４（４ａ〜４ｈ）と，これら袋体４に空気を送出するエアーコンプレッサー２と，該エアーコンプレッサー２から送出された空気を貯留するチャンバー３と，前記袋体４はチャンバー３と連通し，チャンバー３内の空気を外部に排出する弁体５と，弁体５を開閉させるソレノイド６とを備え，前記袋体４への空気の流入，排出により，袋体４が膨張，収縮して身体の同一個所に断続的なバイブレーター的指圧作用を発揮させるエアーマッサージ器内蔵の布団体１において，前記ソレノイド６を駆動する制御回路７を備え，前記制御回路７が，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返すように，前記弁体５を断続的に開閉するようにソレノイド６を駆動するエアーマッサージ器内蔵の布団体１。」 
 　　 
２．甲第３号証（実公平２−１５４９９号公報）には次の事項が記載されている。
　
ａ．「例えば，第８図に示す従来例は，バイブレーターを内蔵するとともに，身体と接触する部分を加温する機構を兼備しているマツサージ器８０である。
  即ち，基台８１に載置されたトランス８２の上部に，バイブレーシヨンボード８３及びバイブレーシヨンボード８３にはバイブレーヨンレシーバ８３ｂが配設され，このバイブレーシヨンボード８３に一対のコイルスプリング８４が固定されている。
　加えて，該コイルスプリング８４の上部には，ヒーター８５が取付けられ，このヒーター８５の上に適宜の間隔をおいてゆび玉８６が左右に２個並設されている。
　なお，前記トランス８２には，電源コード８７が直結され，更に当該コード８７とコンセント（図示省略）との間には後述の各機能を選択可能とし，かつその選択によつて前記各部材を動作させるコントローラ８８が配設されている。
　しかして，前記マツサージ器８０は，コントローラー８８によつてバイブレーター部分とヒーター部分とを同時，又は個別に作動して，温灸，バイブレーター，及び指圧の各機能を行うものである。
　即ち，金属などの材質により形成されたゆび玉８６を患部やツボに当て，コリや神経痛の痛みを緩和する。
　更に，トランス８２によつて発生された振動がバイブレーシヨンボード８３に伝わり，そのバイブレーシヨンボードに固定されているコイルスプリング８４と，その上方に配設されているゆび玉８６を連続振動させ，ゆび玉８６が当接している身体部分を揉みほぐす。
　また，コントローラー８８によりバイブレーター８３を断続的に稼働させ，そのたたき効果によつてコリをたたきほぐす動作を行うことができるものである。」（第１欄２３行〜第３欄３行）
  
３．甲第４号証（特開平２−７７２５１号公報）には次の事項が記載されている。  
ａ.「一方，前記制御ユニット７には，上記エアベローズ２２にエアチューブ９を介して圧縮空気を供給するエアポンプＰや，操作スイッチ，制御回路等が配設されている。そして，エアポンプＰからエアベローズ２２に至る空気経路には，第５図に示すように，電気的制御で開閉される排気弁Ｖと，圧力センサーＳとが接続されている。エアポンプＰや排気弁Ｖ，そして上記振動駆動装置４は，圧力センサーＳを通じて空気圧が入力される制御回路によってその動作が制御される。
　排気弁Ｖを閉じた状態でエアポンプＰを作動させたならば，エアベローズ２２がシリンダー部２１によるガイドを受けた状態で膨張を行って，施療子３を可動ブロック２の上面より上方へ大きく突出させる。この状態で振動駆動装置４を作動させたならば，施療子４は振動を行う。そしてエアポンプＰを停止させるとともに，排気弁Ｖを開けば，エアベローズ２２内の空気が排出されるために，エアベローズ２２が収縮し，施療子３を引き込ませる。
　今，圧力センサーＳによって検出される圧力が設定圧となるまでエアベローズ２２に空気を供給した後，エアポンプＰを停止させるとともに排気弁Ｖをしばし閉じたままの状態とし，この後に排気弁Ｖを開くという動作を周期的に行わせるとともに，エアベローズ２２に空気を供給している加圧中と，エアポンプＰは停止させるものの排気弁Ｖは閉じておく保圧中の期間だけ，振動駆動装置４を作動させたならば，エアベローズ２２の膨張に伴って突出する施療子３による指圧力は，第１図及び第６図（ａ）に示すように変化する。振動駆動装置４を作動させる期間は，これに限るものではなく，第６図（ｂ）（ｃ）（ｄ）に示すように，各種のパターンを得ることができる。」（第２頁左下欄１０行〜第３頁左上欄３行）
　
ｂ.「しかし，モータ６０を正転で高速回転させる時には，ワンウェークラッチ６２はシャフト６３に回転を伝達せず，従って施療子３が揉捏動作を行うことがないものの，この時には遠心振り子５６に働く遠心力がねじりコイルばね６７による付勢に打ち勝って遠心振り子５６が外周側へと移動するために，両遠心振り子５５，５６のバランスがくずれるものであり，このために生ずる振動が施療子３に伝達される。
　エアベローズ２２を膨張収縮させることで指圧動作を行う施療子３に対して，揉捏動作もしくは振動動作を選択的に加えることができるものである。尚，遠心力で外周側に移動した遠心振り子５６は，モータ６０の停止もしくは回転数の低下に伴い，ねじりコイルばね６７の付勢で遠心振り子５５とバランスする位置に復帰する。またモータ６０を正転で超高速回転させたならば，疑似的なたたきマッサージ動作を得ることができる。」（第３頁右下欄６行〜第４頁左上欄３行）
 　
４．甲第５号証（特公平３−４８８２５号公報）には次の事項が記載されている。
「本発明が用いられる打ち叩き具は，右手あるいは左手の一方の手で第２図図示右下の把手１を持ち，第２図図示左方向にある円筒状のスペースガイド２を人の顔の皮膚などに軽く押しあてて用いる。そして把手１の上方右側第２図図示スイツチ３を押下することにより，電源がＯＮとなり，前記円筒状のスペースガイド２の内部に格納されている円筒状の打ち叩き体４が矢印の如く左右に振動して皮膚を打ち叩くとともに，スペースガイド２にもうけられている斜め方向に切りそいだ切り欠き部２−１によつて温風が矢印の如くスーペスガイド２の左端を包むように吹き出し，皮膚を暖める。
　このように美容器具である打ち叩き具は，温風により皮膚を効率よく暖めながら皮膚を打ち叩くことが必要であり，適度の打ち叩き力を有し，軽量かつ効率のよいものが望まれる。」（第３欄３０行〜第４欄２行）
　
５．甲第６号証（特開平２−２４１４５２号公報）には次の事項が記載されている。
ａ．「【産業上の利用分野】本発明はマッサージ機，殊に空気袋の膨張収縮によって指圧子を出没駆動するマッサージ機に関する。」（第１頁左下欄１２〜１５行）  
　
ｂ．「本発明はこのような点に鑑み為されたものであり，その目的とするところは指圧子の出没ストロークが大きくて十分な指圧効果を得られる上に，マツサージ機全体の高さを低く抑えることができるマツサージ機を提供するにある。」（第２頁左上欄２〜６行）  
 　　　  
ｃ．「このマッサージ機は第１図に示すように，機構ユニット１と，制御ユニット７とから構成され，両者は制御コードを一体に備えているエアチューブ９によって接続されている。 
　機構ユニット１は，第２図にも示すように，ベースプレート１０と，ベースプレート１０上に配した背受け用の複数個のクッション１１と，指圧子３を各々備えた一対の可動ブロック２，２とから構成されている。・・・（中略）・・・さて，各可動ブロック２は，第３図に示すように，円筒状のケース２１と，このケース２１内に配されたベローズ状の空気袋２２と，空気袋２２の上面開口を閉じている取付板２３上に下端部が固着された指圧子３とからなるもので，上端が半球状となっている指圧子３は，その上端部をケース２１の上面開口部から覗かせている。 
　そして，ここにおけるケース２１は，３重のシリンダー２４，２４，２４によってテレスコピックに形成されているもので，上記取付板２３が最も内側のシリンダー２４と一体となっていることから，空気袋２２が膨張する時，これに伴って，第７図に示すように，内側に位置するシリンダー２４が外側に位置するシリンダー２４にガイドされた状態でスライドし，ケース２１が伸びるものである。・・・（中略）・・・一方，前記制御ユニット７には，上記空気袋２２にエアチューブ９を介して圧縮空気を供給するエアポンプＰや，操作スイッチ，制御回路等が配設されている。そして，エアポンプＰから空気袋２２に至る空気経路には，第５図（「第４図」の誤記。）に示すように，電気的制御で開閉される排気弁Ｖと，圧力センサーＳとが接続されている。エアポンプＰや排気弁Ｖ，そして上記振動駆動装置４は，圧力センサーＳを通じて空気圧が入力される制御回路によってその動作が制御される。 
　排気弁Ｖを閉じた状態でエアポンプＰを作動させたならば，空気袋２２がケース２１によるガイドを受けた状態で膨張を行って，指圧子３を上方に移動させるものであり，この時，前述のように，また第７図に示すように，ケース２１も伸びることから，指圧子３の移動ストロークはきわめて大きいものとなる。そしてエアポンプＰを停止させるとともに，排気弁Ｖを開けば，空気袋２２内の空気が排出されるために，空気袋２２が収縮するとともにケース２１が縮み，指圧子３を引き込ませる。 
　エアポンプＰ及び排気弁Ｖの制御は，実際には次のようになされる。すなわち，第５図及び第６図に示すように，マッサージの開始にあたっては，圧力センサーＳによって検出される圧力が設定圧となるまで空気袋２２に空気を供給して指圧子３を突出させることで身体を押圧した後，エアポンプＰを停止させるとともに排気弁Ｖをしばし閉じたままの状態とし，この後に排気弁Ｖをしばし開いて指圧子３が身体に軽く接触するだけのところまで後退させ，次いで排気弁Ｖを閉じてエアポンプＰを駆動することにより，指圧子３を突出させて身体を押圧するのである。マッサージの終了時は，空気袋２２内の空気を全部排出して，第３図に示す状態，つまり指圧子２２が身体に当たらないところまで戻す。」（第２頁右上欄１行〜第３頁左上欄１５行）  
 　　 
ｄ．上記記載事項「ｃ．」及び第６図から，マッサージの開始時に空気袋２２に，圧力センサーＳによって検出される圧力が設定圧となるまで空気袋２２に空気を供給する時間と，この後にエアポンプＰを停止させるとともに排気弁Ｖを閉じた状態を維持して空気袋２２に供給された空気がとどまる時間と，この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間とどめる時間を介在させて給気と排気を繰り返す時間を有するように，制御ユニット７の制御回路がエアポンプＰと排気弁Ｖの動作を制御し，また，マッサージの終了時は，空気袋２２内の空気を全部排出するように，制御ユニット７の制御回路がエアポンプＰと排気弁Ｖの動作を制御していることが理解できる。 
　
　上記記載事項を総合すると，甲第６号証には，次の発明（以下，「引用発明２」という。）が記載されているものと認められる。 
　　
「空気袋２２の膨張収縮によって指圧子３を出没駆動するマッサージ機において、機構ユニット１と、制御ユニット７は、制御コードを一体に備えているエアチューブ９によって接続され、前記機構ユニット１は、ベースプレート１０と、該ベースプレート１０上に指圧子３を各々備えた一対の可動ブロック２を備え、 
　前記各可動ブロック２は、円筒状のケース２１と、このケース２１内に配されたベローズ状の空気袋２２と、該空気袋２２の上方に指圧子３を設け、前記制御ユニット７には、該空気袋２２にエアチューブ９を介して圧縮空気を供給するエアポンプＰと、操作スイッチと、制御回路が配設され、エアポンプＰから空気袋２２に至る空気経路には、制御回路によってその動作が制御される排気弁Ｖと、圧力センサーＳとが接続され、マッサージの開始時に空気袋２２に、圧力センサーＳによって検出される圧力が設定圧となるまで空気袋２２に空気を供給する時間と、この後にエアポンプＰを停止させるとともに排気弁Ｖを閉じた状態を維持して空気袋２２に供給された空気がとどまる時間と、この後に排気弁Ｖを開いて空気袋２２の空気を排気し、次いで排気弁Ｖを閉じてエアポンプＰを駆動することにより、空気袋２２に空気を供給し、空気袋２２に対して給気と排気の間に空気袋を一定時間とどめる時間を介在させて給気と排気を繰り返す時間を有するように、制御ユニット７の制御回路がエアポンプＰと排気弁Ｖの動作を制御し、また、マッサージの終了時は、空気袋２２内の空気を全部排出するように、制御ユニット７の制御回路がエアポンプＰと排気弁Ｖの動作を制御するマッサージ機。」  
 　　　 
６．甲第７号証（実願昭６２−１８５６５５号（実開平１−９０５２９号）のマイクロフィルム）には次の事項が記載されている。
ａ.「この考案は，身体の所望部位に巻着されるエアーベルトへ周期的に空気を送給することによりマッサージする加圧マッサージ装置に関する。」（第１頁１４行〜１６行）
　　
ｂ.「加圧マッサージ装置１は，第１図乃至第２図に示すように，磁性体２を保持する複数の小突起３を一方面に形成した突起板４をエアーベルト５の片面に重着し，該エアーベルト５の片面側の一端部分と他面側の巻着時対応部分にマジックテープなどの重着部材６を設けて身体の所望部位に巻きつけ着脱可能にして設け，更に前記エアーベルト５にエアーホース７を介して連通し該エアーベルト５内に所定時間持続する所定圧力を周期的に発生させるためのポンプ８を備えた空気送給調節機９を設けたものである。」（第４頁１９行〜第５頁９行）
　　
ｃ.「空気送給調節機９の構成は，第５図において示されるように，作動時間設定タイマー１０によって設定される時間だけ作動するポンプ８と，該ポンプ８の吐出口より通常１本又は２本のエアーホース７に送給される空気の圧力を制御する圧力設定スイッチ１１ａ，１１ｂと，この設定圧力を一定時間だけ持続させる圧力持続時間設定タイマー１２ａ，１２ｂと，エアーホース７内又はエアーベルト５内の圧力を検出する圧力センサー１３ａ，１３ｂと，送気，排気を３方向に切り換えできる自動開閉弁１４ａ，１４ｂとからなる。一方のエアーベルト５ａ内の圧力Ｐａは，第６図において示すように，ポンプ８の作動時間をＴ，一方のエアーベルト５ａ内の設定圧力Ｐ１，圧力持続時間をｔ１に設定すると，最初自動開閉弁１４ａを介してポンプＰとエアーホース７が連通されるので，エアーベルト５ａ内の圧力ＰａがＰ１まで上昇したとき，圧力センサー１３ａがこれを感知すると同時に圧力持続時間設定タイマー１２ａが計時を開始して時間ｔ１だけ自動開閉弁１４ａを閉じ圧力をＰ１に保持する。そして時間ｔ１が経過した後，エアーホース７を大気に連通するように自動開閉弁１４ａを作動させて，エアーベルト５ａ内の圧力を降圧させる。この降圧は，伸縮性の袋状部材５ｄの縮む力で行われる。圧力センサー１３ａが所定の圧力降下を感知すると，自動開閉弁１４ａによってポンプＰとエアーホース７を連通するので，圧力Ｐａは再びＰ１まで上昇し，以下これを作動時間Ｔだけ周期的に繰り返す。更に，他方のエアーベルト５ｂにおいても，設定圧力をＰ２，圧力持続時間をｔ２に設定すると，同様な順序でエアーベルト５ｂ内の圧力Ｐｂの昇圧，降圧が行われ，使用者は２つのエアーベルト５ａ，５ｂから身体の所望部位に前記小突起３を介した指圧及びマッサージ作用を受ける。」（第７頁３行〜第８頁１７行）
　　
ｄ.「設定した作動時間Ｔが経過すると，作動時間設定タイマー１０と連絡する加圧マッサージ装置１の電源スイッチ１８は切れ，自動開閉弁１４ａ，１４ｂはエアーホース７を大気に連通した状態で停止し，エアーベールト５は降圧して加圧マッサージは終了する。」（第１０頁９〜１４行）
　　　
ｅ．上記記載事項「ｃ．」、「ｄ．」及び第６図から，マッサージの開始時に，エアーベルト５ａ内の圧力が設定圧となるまでエアーベルト５ａに空気を供給する時間と，エアーベルト５ａ内の圧力を所定時間設定圧力に保持するために自動開閉弁を閉じた状態を維持してエアーベルト５ａに供給された空気がとどまる時間ｔ１と，この後にエアーベルト５ａ内の圧力が所定の圧力となるまでエアーベルト５ａの空気を排気し，再び，エアーベルト５ａ内の圧力が設定圧となるまでエアーベルト５ａに空気を供給し，エアーベルト５ａに対して給気と排気の間に空気袋を一定時間とどめる時間を介在させて給気と排気を繰り返す時間を有するように，空気送給調節機９の作動時間設定タイマー１０によって設定される時間だけ作動するポンプ８と，圧力設定スイッチ１１ａと，圧力持続時間設定タイマー１２ａ，圧力センサー１３ａ，自動開閉弁１４ａが制御され，また，マッサージの終了時は，エアーベルト５ａ内の空気を全部排出するように，自動開閉弁１４ａの動作を制御していることが理解できる。 
　
７．甲第８号証（実公平３−１０９９３号公報）には次の事項が記載されている。
「第１図において，１は空気圧などの流体圧を発生させる加圧部であつて，ポンプ部１ａと弁装置１ｂから成つており，チユーブ４を介して袋状弾性マツト３０に接続されている。弁装置１ｂは，ポンプ部１ａから送られてきた流体のマツト３０への排出を制御して，マツト３０に加えられる流体圧を一定の周期にて変化させ，該マツト３０をゆつくりと膨脹収縮させるものであり，この周期はたとえば１秒〜数秒に一回など比較的長周期に設定されている。
　５はマツト３０に短周期にて振動する流体圧を加える第２の加圧部であつて，排気孔を有せず，弾性マツト３０に脈流を付与させるための手段，例えば電磁的に駆動される脈流発生装置などから成り，チユーブ６を通して上記チユーブ４に接続されている。この短周期は例えば3000回／分程度であり，人体にここち良いさすり効果を与える。７１，７２はチユーブ４，６を開閉するためのバルブから成る開閉部である。
　第２図はマツト３０に加えられる流体圧Ｐの時間的変化を示すものであつて，ａは加圧部１により加えられる長周期にて膨脹，収縮を繰り返す流体圧曲線，ｂは加圧部５により加えられる短周期にて振動する流体圧曲線であり，マツト３０は２つの曲線ａ，ｂの合成曲線ｃにて示すように，短周期にて小刻みに高速振動しながら，長周期にてゆつくりと膨脹収縮する。」（第２欄２３行〜第３欄２４行）
　　
８．甲第９号証（実願平３−９０７９２号（実開平５−３９５４３号）のＣＤ−ＲＯＭ）には次の事項が記載されている。
「上記構成のマッサ−ジ装置Ｍは図９に示す椅子７１あるいは図１０に示すベット７２に組み込まれる。図９に示す椅子７１は矩形板状の一対の肘掛け体７３（一方のみ図示）を有する。これら肘掛け体７３間には，座部体７４が連結部材７５によって上下方向に揺動自在に取付けられている。この座部体７４の後端には背部体７６の下端が回動自在に連結されている。この背部体７６は上記座部体７４の下面に設けられたガススプリング７７によって任意の回動角度で保持できるようになっている。上記座部体７４の下面にはリンク機構７８が設けられ，このリンク機構７８の先端には足載せ体７９が連結されている。この足載せ体７９は，上記背部体７６を後方へ倒すことで，上記座部体７４を上端側が上昇する方向へ回動させたときに，上記リンク機構７８が折り畳み状態から伸長することで，座部体７４の前方上方へほぼ水平に突出するようになっている。
  上記背部体７６には，図示しない駆動源によって回転駆動される駆動ねじ軸８１が上下方向に沿って回転自在に支持されている。この駆動ねじ軸８１には作動体８２が取付けられ，この作動体８２は上記駆動ねじ軸８１が回転することでこのねじ軸８１に沿って移動するようになっている。なお，背部体７６にはガイドロッド８３が上記駆動ねじ軸８１と平行に架設されている。このガイドロッド８３には上記作動体８２の側面に設けられたガイドロ−ラ８４が係合している。それによって，作動体８２はねじ軸８１とともに回転することなく移動するようになっている。そして，上記作動体８２に上記マッサ−ジ装置Ｍが取付けられている。
  このような構成によれば，利用者が座部体７４に座って背部体７６に寄り掛かることで，背中のほぼ全体に上記マッサ−ジ装置Ｍのマッサ−ジロ−ラ１７により，マッサ−ジを受けることができる。」（段落【００３０】ないし【００３２】）
　　
９．甲第１０号証（実願平４−２８３７８号（実開平５−７２３９号）のＣＤ−ＲＯＭ）には次の事項が記載されている。
「以下に，本考案を図面に基づいて説明する。
  まず，図１から説明すると，本考案を組み込んだマッサージ装置が矢印１０の方向に示されている。この新規なマッサージ装置は，例えば座席のシートとか椅子のような様々な形態になる上張りした家具に使用され得るし，あるいは又，使用者がその上でうつぶせの姿勢になるようなクッションやマットレスあるいはパッドにも使用されてよい。
  例としてのマッサージ装置１０は，実線で示されるように平らに置かれたり，あるいは椅子やソファ等に合うように，破線で示されたように折り曲げられるという細長いパッド１１を含んでいる。折り曲げられた場合に，上方部分１２はシートの背もたれを構成し，符号１３で示された中央部または中間部パッドはシート部分を構成し，下方に折り曲げられた時の下方部分は下部脚部分１４を構成する。」（段落【０００２】ないし【０００３】）
　　　
１０．甲第１１号証（実願平３−１０１７８５号（実開平５−７０５３３号）のＣＤ−ＲＯＭ）には次の事項が記載されている。
「図７，図８，図９に示すのは，この考案のエアマッサージ器(Ｘ')であり，台布(Ｂ) 上に配置，取り付けする例で，空気袋(ａ１)〜(ａｎ)の下面の，中心よりずらした位置に，面接着用の一方の接合具［通常マジックテープといわれるもの］(ｃ)を取り付け，台布(Ｂ) は他方の面接着用の接合具の布地自体，あるいはその全長にわたり，長片状の面接着用の同じく他方の接合具(ｃ'),(ｃ') を取り付けて，空気袋(ａ１)に取り付けた接合具(ｃ) を係止させる。つぎに図１０に示すようにその空気袋(ａ１)の接合具(ｃ) の無い方の端部が，つぎの空気袋(ａ２)に重なるようにして取り付ける。すなわち空気袋(ａ１)が，空気袋(ａ２)の取り付け位置の上方に位置するように重ねて取り付ける。以下順次，空気袋(ａ２)〜(ａｎ)についても同様に取り付ける。なお各空気袋(ａ１)〜(ａｎ)において図示していないが，エアー（空気）出入り管がそれぞれに取り付けられている。そして図１１（１）〜（３）（（１）,（３）は丸数字の１，３）に示すように各空気袋(ａ１)，(ａ２)〜(ａｎ)に順次空気を吹き込み，そして排出することによって，空気袋(ａ１)〜(ａｎ)は順次，膨れ，それらの膨張した個処が連続的に空気圧を身体に伝えることとなる。
  図１２は椅子(Ｄ) において，カバー(Ｅ) を掛け，それに空気袋(ａ１)〜(ａｎ)を取り付けた例である。図１３，図１４は各空気袋(ａ１)〜(ａｎ)の取り付け位置を適宜変更した例である。各空気袋(ａ１)〜(ａｎ)の取り付け位置の重なりを多くすることによって，膨張部分の重なりが多くなり，きめ細かな連続圧を付与し，それによって滑らかな揉み具合を得ることができる。これらはその重なり具合を調節することにより，任意の状態の連続圧迫を得ることができることとなる。また空気袋(ａ１)〜(ａｎ)を面接合用の布自体で構成し，その上に直接，空気袋(ａ１)〜(ａｎ)を取り付けようにしてもよい。この例においても重なり具合は任意に調節できる。図１５（１）〜（４）（（１）,（４）は丸数字の１，４）は，空気袋(ａ１)〜(ａｎ)に取り付け片(ｆ) をミシン線(ｇ) などを介して設けて，そこに接合具(ｃ) を取り付けた例による，各空気袋(ａ１)〜(ａｎ)の膨張状態を示す。ベッド，マット，椅子などにこの考案のエアーマッサージ器(Ｘ')を取り付けるに当たっては，それらに相互に接合具を取り付けて着脱自在とする，また前記面接合用の接合具(ｃ')を取り付けたシーツ状の布地，またはその布地自体を，他方の面接合用の布地で形成したものなどを敷いて，その上に各空気袋(ａ１)〜(ａｎ)を着脱自在に取り付けてもよい。また台布，ベッドなどや各空気袋などの布地の生地を，それぞれ面接合用の布地自体で形成することによってそれらを接合してもよい。またここにのべた接合具は面接合用のものでに限らず，ホック，ボタン，フックなどとそれらの係合手段などでもよい。」（段落【０００７】ないし【０００８】）
　　
１１．甲第１２号証（特開平４−１３２５１８号公報）には次の事項が記載されている。
「また，ここにおける制御回路８３は，上記の圧力制御だけでなく，各気室の空気圧の設定を組み合わせることによる各種動作の制御も行うものとなっている。たとえば−日の疲れをとるためのものとして，順次膨張させる気室の動きが後退進行波となるようにすることによるマッサージや，この時の気室の空気圧を少し低めにしたさすりマッサージ，これらを組み合わせたコースマッサージを行えるようになっており，また快適入眠のためのものとして，上記のマッサージの時の圧力と速度とを順次おとす動作並びに冬季のための初期暖房を行えるようになっており，更に熟睡を得られるようにするためのものとして，前記体圧分散のほか，温度調整やエアを噴出させることによる除湿を行えるようになっており，快適起床のためのものとして，朝の冷え込み対策としての起床暖房や，血行を良くするためのマッサージを行えるようになっている。」（第４頁右下欄１６行〜第５頁左上欄１３行）
　　
１２．甲第１３号証（特開昭６０−１９４９５２号公報）には次の事項が記載されている。
ａ．「第２図はマイクロコンピユーター（４）に使用するＲＯＭに書込む番地と動作内容を表に示したもので動作設定ＲＯＭ番地は例えば０１から２２まであり動作内容の項目別に説明すると０１の作動開始準備（２０）はマツサージ機のスイツチオンクリヤー信号（１４）とは別に選択スイツチ（１）のいずれかのスイツチＯＮによりすべての動作に先立ち動作するものであり，全自動選択（２１）は選択スイツチのコース選択の時動作する。」（第２頁左下欄９行〜１７行）
　
ｂ．「第３図および第４図は肩もみコース，腰もみコース，全身ローリング，全身もみコースの動作手順をコンピユーター（４）のＲＯＭ（１５）に書込を行つた状態を示し，各コースのＲＯＭ（１５）番地と第２図で示した動作設定ＲＯＭ番地を組合せたものである。」（第３頁左上欄３行〜７行）
　
ｃ．「また本発明は第３図第４図に示した通りＲＯＭ（１５）に書込まれた信号をＲＡＭ（１６）に送り順次動作を命令処理するものでＲＯＭ（１５）を取換えないかぎり，誰でも簡単に操作ができるものである。」（第３頁左下欄１４〜１７行）
　
ｄ．上記記載事項「ａ．」ないし「ｃ．」及び第２図から，甲第１３号証に記載されたマツサージ機は，複数種類のマツサージ動作を組み合わせて，肩もみコース，腰もみコース，全身ローリング，全身もみコース等のコースマツサージを行うものであることが理解される。
　
１３．甲第１４号証（特開平３−１９３０５３号公報）には，次の事項が記載されている。
ａ．「施療子の動作モードや動作位置，動作回数もしくは動作時間といった施療動作に関するパラメーターを多数のステップ毎に記憶保持して，各ステップのパラメーターに基づく動作をステップ順に実行するプログラム式のマッサージ機において，施療子は電動リクライング式の椅子の背もたれに設けられているとともに，この椅子の背もたれのリクライニング角度が上記パラメーターの一つとされていることを特徴とするマッサージ機。」（特許請求の範囲）
　　
ｂ．「そして，制御記憶回路Ｃは，操作器６のスイッチＳＷ５〜ＳＷ７に対応する上半身コースと首・肩コースと腰コースの各コースマッサージのための３種のテーブルＴ１，Ｔ２，Ｔ３を備えているとともに，これらテーブル中の各ステップに付されたアドレスを指し示すテーブルポインタＰとを備えている。
　ここにおけるテーブルＴ１，Ｔ２，Ｔ３は，施療子４にどの種類のマッサージ動作を行わせるかの動作モード（動作方法），その動作位置（動作範囲），動作回数もしくは動作時間といった施療動作に関するパラメーターと，背もたれ１０のリクラニン角度のパラメーターとを多数のステップ毎に記憶保持しているもので，たとえば上半身コースのためのテーブルＴ１には，表１のようなパラメーターが格納されている。」（第５頁右上欄３行〜１８行）
　　　
ｃ．上記記載事項「ａ．」ないし「ｂ．」及び表１から，甲第１４号証に記載されたマッサージ機は，「ローリング」，「たたきローリング」，「もみ上げ」，「もみ下げ」及び「たたき」の複数種類のマッサージ動作を組み合わせたコースマッサージを行うものであることが理解される。
　　
１４．甲第１５号証（特開昭６１−４５７５８号公報）には，次の事項が記載されている。
ａ．「第７図は作動制御用の指令信号を発するリモコン装置（４９）を示し，該リモコン装置（４９）は，運転または停止を指令するメインスイッチ（５０）と，指部（１０），（１０）の上下移動およびその間隔の広挟を指令する４個の位置移動スイッチ（５１ａ）〜（５１ｄ）と，指圧，２段指圧，叩き・振動，指圧振動の４つの手技パターンを選択指令する手技パターンスイッチ（５２ａ）〜（５２ｄ）と，指部（１０），（１０）の所定間隔（例えば３ｃｍ）毎の上昇移動および下降移動を指令する自動移動スイッチ（５３）と，該自動移動スイッチ（５３）の機能に加えて，予め定めた２種以上の手技パターンの連続動作を指令するメニュースイッチ（５４）と，椅子（１）の背当部（１ｂ）の傾倒，起立を指令する２個のリクライニングスイッチ（５５ａ），（５５ｂ）と，指部（１０），（１０）が体の望む部位に位置付けられたとき受療者により押し操作されるつぼ検出スイッチ〈５６）と，指圧等の強さ，速さ，保持時間を適宜に補正指令する操作つまみ（５７ａ）〜（５７ｃ）とを備えており，上記各指令信号は第８図のコントローラ（６０）に入力されている。」（第４頁左上欄３行〜右上欄４行）
　　　　
ｂ．「さらに，ステップＳ１１でメニュー指令信号を受信しているＹＥＳの場合には，ステップＳ１６でメニュール−チンに進んで上記ステップＳ１６での制御に加えて，指部（１０），（１０）の上下移動の３往復のあいだに順次「軽い叩き」，「指圧」，「軽い振動」をそれぞれ行うよう，指部上下動用モータ（７）及び電磁比例減圧弁（３５）を作動制御する。」（第５頁左上欄１４行〜右上欄１行）
　　
ｃ．上記記載事項「ａ．」ないし「ｂ．」から，甲第１５号証に記載されたマッサージ機は，「軽い叩き」，「指圧」，及び「軽い振動」の複数種類のマッサージ動作を組み合わせたマッサージを行うものであることが理解される。
　　　
１５．甲第１６号証（特公昭６１−１６１７９号公報）には次の事項が記載されている。
「順次供給される圧縮空気によつて袋体４３，４３……は順次膨張する。一定時間，圧縮空気が空気袋の中に導入されると，ロータリ弁１３の回転に伴ない導通孔１９は対応する固定弁体１５の通気孔１８から離れるために圧縮空気の供給は停止する。モータ１１は回転を休止することがないので，引きつづきロータリ弁１３が回転すると，上記圧縮空気の供給を停止された通気孔１８より１個前に位置する別の通気孔１８が排気孔２０と重なつたときに圧縮空気は逆流が可能になり，排気孔２０を通つて外部に排出され，マツサージ体内にあつて膨張状態を保つていた１個の袋体は収縮する。このようにして個々の袋体４３，４３……は順次膨張と収縮を繰り返えし，この運動によつてマツサージ体は全体に亘つて律動的な波動運動を繰り返えし行なうから，マツサージ体に体を仰臥すれば，腰から背中，肩，頭にかけて律動的な押圧マツサージが行なわれる。」（第３頁６欄５行〜２２行）
　　
１６．甲第１７号証（実公昭６１−１０６８５号公報）には次の事項が記載されている。
ａ．「そこで，かかる構造の加圧気体分配器作動装置を具えたマツサージ器を使用するに際しては，圧迫用マツサージ袋２を第２図に示す如くマツサージ部位に装着し，プラグ２８を第１図の矢印方向に押込んでソケツト５７内に嵌合し，その後加圧気体発生装置１を作動させる。すると，加圧気体は給気管４を通つてマツサージ袋２のたとえば気のう２２内に供給され，次第にマツサージ圧力を高めていく。この間，羽根車３１が回転して弁体５３を低速で回転させる。次いでマツサージ圧が所定値に達すると圧力調整弁４１が開くと共に羽根車３１は回転を続け，弁体５３の溝５２が図示の気体通過孔５６から離れて図示しない別の同心円位置にある気体通過孔５６に連通して気のう２３に対する加圧気体の供給を開始すると同時に，先の気体通過孔５６が弁体５３に設けた軸方向の排気孔５９に連通されて気のう２２内の加圧気体が排出され，以後上述の繰返えしによつて気のう２２，２３，２４および２５に対して順次加圧気体の供給，排出がおこなわれる。」（第２頁４欄３６行〜第３頁５欄１１行）
　　　
ｂ．第４図には，弁体５３に「溝５２」と「排気孔５９」が設けられ，「溝５２」と「排気孔５９」は，周方向に離間して形成されている点が図示されている。
　
１７．甲第１８号証（実公昭６４−４３５０号公報）には，次の事項が記載されている。
「次に，上述したように構成した弁機構１４を使用して，袋体１０ａ，１０ｂの各空気室１２を給排気操作する場合の動作について説明する。
  まず，第２図および第３図に示す弁機構を使用する場合には，第４図および第５図に示すように，２つの回転体２６，２６′を矢印の方向に回転することにより，袋体１０ａ，１０ｂの各空気室と分岐パイプ１６ａ，１６ｂを介して連通する分配板２４，２４′の給排気口２２ａ〜２２ｃおよび２２′ａ〜２２′ｃが回転体２６，２６′の給気通孔部２８，２８′と排気通孔部３０，３０′とに順次一定の異なる位相角関係で連通し，第７図ａ〜ｆに示す給排気動作が達成される。」（第３頁５欄３０〜４２行）
　　
第８　当審の判断
１．理由１及び理由２について
（１）本件発明１に対する理由１について
　本件発明１と引用発明１を対比すると，後者の「エアーマッサージ」は，その機能・構造・文言からみて前者の「エアマッサージ」に相当し，以下同様に後者の「エアーマッサージ器内蔵の布団体１」は「エアマッサージ装置本体」に，「人体当接面に沿って設けられた独立した複数の袋体４（４ａ〜４ｈ）」は「人体当接面に沿って設けられた独立した複数の空気袋」に，「袋体４への空気の流入，排出により，袋体４が膨張，収縮して身体の同一個所に断続的なバイブレーター的指圧作用を発揮させる」は「空気袋を膨張・収縮させて人体を部分的にマッサージする」に，「制御回路７」は「制御手段」にそれぞれ相当する。 
　また，後者の「エアーマッサージ器内蔵の布団体１」は，「袋体４に空気を送出するエアーコンプレッサー２と，該エアーコンプレッサー２から送出された空気を貯留するチャンバー３と，前記袋体４はチャンバー３と連通し，チャンバー３内の空気を外部に排出する弁体５と，弁体５を開閉させるソレノイド６」とを備え，「ソレノイド６を駆動する制御回路７」によって，「袋体４への空気の流入，排出により，袋体４が膨張，収縮」させるものであるから，後者も「空気袋にエアを給排気して前記空気袋を膨張・収縮させるエア給排気装置」に相当する発明特定事項を備えているといえる。 
　また，後者の「袋体４への空気の流入，排出により，袋体４が膨張，収縮して身体の同一個所に断続的なバイブレーター的指圧作用を発揮させるエアーマッサージ器内蔵の布団体１」と，前者の「空気袋を膨張・収縮させて人体を部分的にマッサージする椅子式エアマッサージ装置」とは，「空気袋を膨張・収縮させて人体を部分的にマッサージするエアマッサージ装置」の点で共通している。 
　また，後者は，「制御回路７が，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返すように，前記弁体５を断続的に開閉するようにソレノイド６を駆動」しているから，後者も本件発明１の「エア給排気装置は空気袋への給排気を制御する制御手段を備え」に相当する発明特定事項を備えているといえる。 
　また，後者の「制御回路７が，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返すように，前記弁体５を断続的に開閉するようにソレノイド６を駆動する」ことと，前者の「制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，前記複数の空気袋のうちの一部の空気袋に所定量のエアを給気した後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返す」こととは，「制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す」の点で共通している。
　 
　したがって，本件発明１と引用発明１とを対比すると両者は，
「エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージするエアマッサージ装置において，前記エア給排気装置は，空気袋への給排気を制御する制御手段を備え，前記制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す制御手段を備えたエアマッサージ装置。」
の点で一致し，以下の点で相違する。
　　　
相違点１
　エアマッサージ装置が，本件発明１では椅子式エアマッサージ装置であるのに対して，引用発明１ではそのような椅子式エアマッサージ装置ではない点。 
 　 
相違点２
　本件発明１の制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，前記複数の空気袋のうちの一部の空気袋に所定量のエアを給気した後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返す制御を行うものであるのに対し，引用発明１の制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す制御を行うものではあるが，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものではない点。
　　
　以上のように，本件発明１と引用発明１とを対比すれば，少なくとも相違点１ないし相違点２が存在し，相違点１ないし相違点２は，引用発明１から自明のことともいえない。
　したがって，本件発明１が，引用発明１であるとはいえず，特許法第２９条第１項３号の規定に該当しない。
　
（２）本件発明１に対する理由２ついて
　上記「（１）本件発明１に対する理由１について」で検討したように，本件発明１と引用発明１は上記相違点１，２で相違するので，これら相違点について検討する。
　　
相違点１について
　独立した複数の空気袋を備え，これらの空気袋にエアを給排気して空気袋を膨張・収縮させて人体をマッサージするエアマッサージ装置を椅子式とすることは，本願出願前周知の技術（例えば，甲第１１号証として提示された実願平３−１０１７８５号（実開平５−７０５３３号）のＣＤ−ＲＯＭ，段落【０００７】，【０００８】参照）であるから，本件発明１のエアマッサージ装置を椅子式とすることは，前記周知の技術に基いて当業者が容易に想到し得たことである。 
　
相違点２について，
　請求人の提出した甲第３号証ないし甲第５号証の何れにも，上記相違点２に係る本件発明１の発明特定事項は記載されていない。
　また，上記相違点２に係る本件発明１の発明特定事項は，引用発明及び甲第３号証に記載されている事項ないし甲第５号証に記載されている事項に基いて，当業者が容易に想到し得たものでもない。
　したがって，本件発明１が，引用発明１及び周知技術（甲第３号証ないし甲第５号証）に基いて，その発明の属する技術の分野における通常の知識を有する者が容易に発明をすることができたものとはいえない。
　　　　　　　　
（３）本件発明２に対する理由１ついて
　本件発明２と引用発明１を対比すると，後者の「エアーマッサージ」は，その機能・構造・文言からみて前者の「エアマッサージ」に相当し，以下同様に後者の「エアーマッサージ器内蔵の布団体１」は「エアマッサージ装置本体」に，「人体当接面に沿って設けられた独立した複数の袋体４（４ａ〜４ｈ）」は「人体当接面に沿って設けられた独立した複数の空気袋」に，「袋体４への空気の流入，排出により，袋体４が膨張，収縮して身体の同一個所に断続的なバイブレーター的指圧作用を発揮させる」は「空気袋を膨張・収縮させて人体を部分的にマッサージする」に，「制御回路７」は「制御手段」にそれぞれ相当する。 
　また，後者の「エアーマッサージ器内蔵の布団体１」は，「袋体４に空気を送出するエアーコンプレッサー２と，該エアーコンプレッサー２から送出された空気を貯留するチャンバー３と，前記袋体４はチャンバー３と連通し，チャンバー３内の空気を外部に排出する弁体５と，弁体５を開閉させるソレノイド６」とを備え，「ソレノイド６を駆動する制御回路７」によって，「袋体４への空気の流入，排出により，袋体４が膨張，収縮」させるものであるから，後者も「空気袋にエアを給排気して前記空気袋を膨張・収縮させるエア給排気装置」に相当する発明特定事項を備えているといえる。
　また，後者の「袋体４への空気の流入，排出により，袋体４が膨張，収縮して身体の同一個所に断続的なバイブレーター的指圧作用を発揮させるエアーマッサージ器内蔵の布団体１」と，前者の「空気袋を膨張・収縮させて人体を部分的にマッサージする椅子式エアマッサージ装置」とは，「空気袋を膨張・収縮させて人体を部分的にマッサージするエアマッサージ装置」の点で共通している。 
　また，後者は，「制御回路７が，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返すように，前記弁体５を断続的に開閉するようにソレノイド６を駆動」しているから，後者も本件発明１の「エア給排気装置は空気袋への給排気を制御する制御手段を備え」に相当する発明特定事項を備えているといえる。 
　また，後者の「制御回路７は，複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返すように，前記弁体５を断続的に開閉するようにソレノイド６を駆動する」ことと，前者の「制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，前記複数の空気袋のうちの一部の空気袋に所定量のエアを給気した後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返す」こととは，「制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋の膨縮を行い，身体に圧迫を掛けながら前記空気袋の膨縮動作を複数回繰り返す」の点で共通している。
 　
　したがって，本件発明２と引用発明１を対比すれば，両者は，
「エアマッサージ装置本体の人体当接面に沿って設けられた独立した複数の空気袋と，これら空気袋にエアを給排気して前記空気袋を膨張・収縮させるエア給排気装置とを備え，前記空気袋を膨張・収縮させて人体を部分的にマッサージするエアマッサージ装置において，前記エア給排気装置は，空気袋への給排気を制御する制御手段を備え，前記制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋を膨縮させて身体に圧迫を掛けながら前記空気袋の膨縮動作を複数回繰り返す制御手段を備えたエアマッサージ装置。」
の点で一致し，以下の点で相違する。
　　
　相違点３：エアマッサージ装置が，本件発明２では椅子式エアマッサージ装置であるのに対して，引用発明１ではそのような椅子式エアマッサージ装置ではない点。 
 　 
　相違点４：本件発明２の制御手段は，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するものであって，給気時間（Ｔ１）において，前記複数の空気袋のうちの一部の空気袋に所定量のエアを給気して膨張させた後に給気を停止し，空気袋を一定時間とどめる時間（Ｔ２）において，前記所定量のエアが給気された空気袋を一定時間とどめ，その後，時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮させて身体に圧迫を掛けながら前記空気袋の膨縮動作を複数回繰り返し，その後空気袋のエアを全量排気させる制御を行うものであるのに対し，引用発明１の制御手段は，給気と排気を繰り返す時間を制御するものであって，前記複数の空気袋のうちの一部の空気袋に所定量のエアを給気した後に給気を停止し，その後，給気時間の間に給気したエアよりも少量のエアをその給気時間よりも短時間排気させ再びエアを短時間給気させて空気袋を膨縮させて身体に圧迫を掛けながら前記空気袋の膨縮動作を複数回繰り返す制御を行うものではあるが，空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御した後，空気袋のエアを全量排気させる制御を行うものではない点。 
　
　以上のように，本件発明２と引用発明１とを対比すれば，少なくとも相違点３ないし相違点４が存在し，相違点３ないし相違点４は，引用発明１に記載された発明から自明のことともいえない。
　したがって，本件発明２が，引用発明１であるとはいえず，特許法第２９条第１項３号の規定に該当しない。
　　
（４）本件発明２に対する理由２ついて
　上記「（３）本件発明２に対する理由１について」で検討したように，本件発明２と引用発明１は上記相違点３，４で相違するので，これら相違点について検討する。
　　
相違点３について
　独立した複数の空気袋を備え，これらの空気袋にエアを給排気して空気袋を膨張・収縮させて人体をマッサージするエアマッサージ装置を椅子式とすることは，本願出願前周知の技術（例えば，甲第１１号証として提示された実願平３−１０１７８５号（実開平５−７０５３３号）のＣＤ−ＲＯＭ，段落【０００７】，【０００８】参照）であるから，本件発明２のエアマッサージ装置を椅子式とすることは，前記周知の技術に基いて当業者が容易に想到し得たことである。 
　　　　
相違点４について
  請求人の提出した甲第３号証ないし甲第８号証の何れにも，上記相違点４に係る本件発明２の発明特定事項は記載されていない。
　また，上記相違点４に係る本件発明２の発明特定事項は，引用発明及び甲第３号証に記載されている事項ないし甲第８号証に記載されている事項に基いて，当業者が容易に想到し得たものでもない。
　したがって，本件発明２が，引用発明１及び周知技術（甲第３号証ないし甲第８号証）に基いて，その発明の属する技術の分野における通常の知識を有する者が容易に発明をすることができたものとはいえない。
　　　
２．理由３について
　本件特許の請求項３に係る発明は，訂正により削除されたから，請求人の主張する理由３は採用することができない。
　　　
３．無効理由通知について
（１）本件発明１が引用発明１，引用発明２及び周知技術に基いて，当業者が容易に発明をすることができたものか否か検討する。
　　
相違点１について
　上記「１．（２）本件発明１に対する理由２について」で検討したように，相違点１は、本願出願前周知の技術（例えば，甲第１１号証として提示された実願平３−１０１７８５号（実開平５−７０５３３号）のＣＤ−ＲＯＭ，段落【０００７】，【０００８】参照）であるから，本件発明１のエアマッサージ装置を椅子式とすることは，前記周知の技術に基いて当業者が容易に想到し得たことである。 
　
相違点２について、
　甲第６号証の上記記載事項「第７　５．ａ．ないしｄ．」からみて，引用発明２は，空気袋２２の膨張収縮によって指圧子３を出没駆動し，指圧子３が身体を押圧することで指圧効果の得られるマッサージ機の発明といえ，また，空気袋２２の上方に設けられる指圧子３の出没を制御するために，引用発明２は，「制御ユニット７には，空気袋２２にエアチューブ９を介して圧縮空気を供給するエアポンプＰと，操作スイッチと，制御回路が配設され，エアポンプＰから空気袋２２に至る空気経路には，制御回路によってその動作が制御される排気弁Ｖと，圧力センサーＳとが接続され」ており，「マッサージの開始時に空気袋２２に，圧力センサーＳによって検出される圧力が設定圧となるまで空気袋２２に空気を供給する時間」と，「この後にエアポンプＰを停止させるとともに排気弁Ｖを閉じた状態を維持して空気袋２２に供給された空気がとどまる時間」と，「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」を有するように，「制御ユニット７の制御回路がエアポンプＰと排気弁Ｖの動作を制御」しているから，上記「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」においては，空気袋２２の上方の指圧子３が身体を押圧している状態から，排気弁Ｖを開いて空気袋２２の空気が排気され，指圧師３が空気袋２２の収縮によって身体を押圧しない位置へ後退し，再び，排気弁Ｖを閉じ，空気袋２２に空気が供給されるから，指圧子３が身体を押圧する状態となり，次いでエアポンプＰを停止させるとともに排気弁Ｖを閉じた状態を維持して空気袋２２に供給された空気がとどまる状態が継続されているから，指圧子３が身体を押圧した状態が継続されていることは明らかであり，空気袋２２に対して給気と排気を繰り返す時間においては，給気と排気の間に，空気袋２２を一定時間とどめる時間が介在しているものと理解される。
　よって，引用発明２の「空気袋２２」に対する給気及び排気の制御は，本件発明１の発明特定事項である「給気と排気を，給気と排気の間に空気袋を一定時間とどめる時間を介することなく繰り返す時間（Ｔ３）」を備えておらず，引用発明２に基いて，上記相違点２に係る本件発明１の発明特定事項とすることが容易になし得ることであるとはいえない。
　また，請求人は，平成２０年７月１０日付けの弁駁書において，本件発明１が「給気と排気を，給気と排気の間に空気袋を一定時間とどめる時間を介することなく繰り返す時間（Ｔ３）」としている点は，当業者にとって単なる設計事項に過ぎず，また，引用発明１及び引用発明２に基いて容易になし得る旨主張しているが，引用発明２の上記「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」においては，空気袋２２の上方の指圧子３が身体を押圧している状態から，排気弁Ｖを開いて空気袋２２の空気が排気され，指圧師３が空気袋２２の収縮によって身体を押圧しない位置へ後退し，再び，排気弁Ｖを閉じ，空気袋２２に空気が供給されるから，指圧子３が身体を押圧する状態となり，次いでエアポンプＰを停止させるとともに排気弁Ｖを閉じた状態を維持して空気袋２２に供給された空気がとどまる状態が継続されているものであるから，空気袋２２の膨張収縮によって出没駆動される指圧子３の身体へのマッサージ動作は，まず，指圧子３による身体への押圧から始まり，次に，指圧子３による身体への一定圧の押圧が継続され，その後に，指圧子３による身体の押圧が解除され，再び指圧子３による身体への一定圧の押圧が継続されるという一連のマッサージ動作を繰り返すものといえ，引用発明２のマッサージ動作は，乙第２号証に記載の指圧マッサージ動作であると理解される。
　したがって，指圧マッサージ動作を行っている引用発明２の「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」の構成を，本件発明１の「給気と排気を，給気と排気の間に空気袋を一定時間とどめる時間を介することなく繰り返す時間（Ｔ３）」へと変更することは，「指圧マッサージ動作」を行っている引用発明２から，指圧子３による身体への一定圧の押圧が継続されるという構成を排除し，指圧子３による身体への押圧をした後に，この押圧が解除されるという一連の動作を繰り返すマッサージ動作を実行する構成への変更を意味するものといえ，このような全く異なるマッサージ動作を実行する構成へ変更する格別の理由は，提出された証拠を参酌しても見あたらないから，このような異なるマッサージ動作を実行するための設計の変更を，格別の理由なくして当業者が容易に想到し得るものとはいえない。
　また，請求人は，同弁駁書において，本件発明１は引用発明１に基いて容易になし得るものであると主張しているが，仮に引用発明１の「複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返す」を「給気と排気を，給気と排気の間に空気袋を一定時間とどめる時間を介することなく繰り返す」ものであると解釈したとしても，本件発明１の「給気と排気を，給気と排気の間に空気袋を一定時間とどめる時間を介することなく繰り返す時間（Ｔ３）」は，「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するもの」において，「時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返す制御を行う」ものであり，引用発明１は，このような本件発明１の「給気と排気を，給気と排気の間に空気袋を一定時間とどめる時間を介することなく繰り返す時間（Ｔ３）」を備えているとはいえない。
　また，引用発明１に引用発明２を適用する際に，指圧マッサージ動作を行っている引用発明２から，「空気袋２２に対して給気と排気の間に空気袋を一定時間留める時間を介在させ」る構成のみを排除した構成を引用発明１の空気袋の膨縮動作を行う制御に適用し，上記相違点２に係る発明特定事項とすることの格別の理由が引用発明１，引用発明２及び提出された甲第２号証ないし甲第１１号証に存在しているとはいえない。
　したがって，本件発明１は，引用発明１，引用発明２及び提出された甲第２号証ないし甲第１１号証に基いて当業者が容易に想到し得たものとはいえない。
　また，請求人は，平成２０年２月１８日付け上申書と共に甲第１２号証ないし甲第１５号証を提出し，複数種類のマッサージ動作を組み合わせてマッサージを行うマッサージ機が周知であると主張しているが，このような構成が周知であったとしても，引用発明１及び引用発明２に基いて，本件発明１に係る発明特定事項の「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御する」構成を当業者が容易に想起しえたものとはいえない。
　また，請求人は，同上申書と共に甲第１６号証ないし甲第１８号証を提出し，給気動作から排気動作に移る際，給気及び排気が共に一定時間停止するロータリーバルブが周知である旨主張しているが，例えこのような構成が周知であったとしても，本件発明１の発明特定事項である「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御する」ことを示唆するものではないから，請求人の当該主張は採用できない。
　また，甲第７号証の上記記載事項（上記「第７　６．ａ．ないしｅ．」参照）から，甲第７号証の「エアーベルト５ａ」に対する給気および排気の制御も，給気と排気の間に空気袋を一定時間とどめる時間を介在させているから，甲第７号証に記載された事項に基いて，上記相違点２に係る本件発明１の発明特定事項を当業者が容易に想到し得るものではない。
　また，請求人の提出した他の証拠に記載された事項に基いて，上記相違点２に係る本件発明１の発明特定事項を当業者が容易に想到し得るものでもない。
　　
　したがって，本件発明１は，引用発明１，引用発明２及び周知技術に基いて，当業者が容易に発明をすることができたものであるとすることはできない。
　　
（２）本件発明２が引用発明１，引用発明２及び周知技術に基いて，当業者が容易に発明をすることができたものか否か検討する。
　
相違点３について
　上記「１．（４）本件発明２に対する理由２について」で検討したように，相違点３は，本願出願前周知の技術（例えば，甲第１１号証として提示された実願平３−１０１７８５号（実開平５−７０５３３号）のＣＤ−ＲＯＭ，段落【０００７】，【０００８】参照）であるから，本件発明３のエアマッサージ装置を椅子式とすることは，前記周知の技術に基いて当業者が容易に想到し得たことである。 
　
相違点４について
　甲第６号証の上記記載事項「第７　５．ａ．ないしｄ．」からみて，引用発明２は，空気袋２２の膨張収縮によって指圧子３を出没駆動し，指圧子３が身体を押圧することで指圧効果の得られるマッサージ機の発明といえ，また，空気袋２２の上方に設けられる指圧子３の出没を制御するために，引用発明２は，「制御ユニット７には，空気袋２２にエアチューブ９を介して圧縮空気を供給するエアポンプＰと，操作スイッチと，制御回路が配設され，エアポンプＰから空気袋２２に至る空気経路には，制御回路によってその動作が制御される排気弁Ｖと，圧力センサーＳとが接続され」ており，「マッサージの開始時に空気袋２２に，圧力センサーＳによって検出される圧力が設定圧となるまで空気袋２２に空気を供給する時間」と，「この後にエアポンプＰを停止させるとともに排気弁Ｖを閉じた状態を維持して空気袋２２に供給された空気がとどまる時間」と，「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」を有するように，「制御ユニット７の制御回路がエアポンプＰと排気弁Ｖの動作を制御」しているから，上記「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」においては，空気袋２２の上方の指圧子３が身体を押圧している状態から，排気弁Ｖを開いて空気袋２２の空気が排気され，指圧師３が空気袋２２の収縮によって身体を押圧しない位置へ後退し，再び，排気弁Ｖを閉じ，空気袋２２に空気が供給されるから，指圧子３が身体を押圧する状態となり，次いでエアポンプＰを停止させるとともに排気弁Ｖを閉じた状態を維持して空気袋２２に供給された空気がとどまる状態が継続されているから，指圧子３が身体を押圧した状態が継続されていることは明らかであり，空気袋２２に対して給気と排気を繰り返す時間においては，給気と排気の間に，空気袋２２を一定時間とどめる時間が介在しているものと理解される。
　よって，引用発明２の「空気袋２２」に対する給気及び排気の制御は，本件発明２の発明特定事項である「給気と排気を，給気と排気の間に空気袋を一定時間とどめる時間を介することなく繰り返す時間（Ｔ３）」を備えておらず，引用発明２に基いて，上記相違点４に係る本件発明２の発明特定事項とすることが容易になし得ることであるとはいえない。
　また，請求人は，平成２０年７月１０日付けの弁駁書において，本件発明２が「給気と排気を，給気と排気の間に空気袋を一定時間とどめる時間を介することなく繰り返す時間（Ｔ３）」としている点は，当業者にとって単なる設計事項に過ぎず，また，引用発明１及び引用発明２に基いて容易になし得る旨主張しているが，引用発明２の上記「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」においては，空気袋２２の上方の指圧子３が身体を押圧している状態から，排気弁Ｖを開いて空気袋２２の空気が排気され，指圧師３が空気袋２２の収縮によって身体を押圧しない位置へ後退し，再び，排気弁Ｖを閉じ，空気袋２２に空気が供給されるから，指圧子３が身体を押圧する状態となり，次いでエアポンプＰを停止させるとともに排気弁Ｖを閉じた状態を維持して空気袋２２に供給された空気がとどまる状態が継続されているものであるから，空気袋２２の膨張収縮によって出没駆動される指圧子３の身体へのマッサージ動作は，まず，指圧子３による身体への押圧から始まり，次に，指圧子３による身体への一定圧の押圧が継続され，その後に，指圧子３による身体の押圧が解除され，再び指圧子３による身体への一定圧の押圧が継続されるという一連のマッサージ動作を繰り返すものといえ，引用発明２のマッサージ動作は，乙第２号証に記載の指圧マッサージ動作であると理解される。
　したがって，指圧マッサージ動作を行っている引用発明２の「この後に排気弁Ｖを開いて空気袋２２の空気を排気し，次いで排気弁Ｖを閉じてエアポンプＰを駆動することにより，空気袋２２に空気を供給し，空気袋２２に対して給気と排気の間に空気袋を一定時間留める時間を介在させて給気と排気を繰り返す時間」の構成を，本件発明２の「給気と排気を，給気と排気の間に空気袋を一定時間とどめる時間を介することなく繰り返す時間（Ｔ３）」へと変更することは，「指圧マッサージ動作」を行っている引用発明２から，指圧子３による身体への一定圧の押圧が継続されるという構成を排除し，指圧子３による身体への押圧をした後に，この押圧が解除されるという一連の動作を繰り返すマッサージ動作を実行する構成への変更を意味するものといえ，このような全く異なるマッサージ動作を実行する構成へ変更する格別の理由は，提出された証拠を参酌しても見あたらないから，このような異なるマッサージ動作を実行するための設計の変更を，格別の理由なくして当業者が容易に想到し得るものとはいえない。
　また，請求人は，同弁駁書において，本件発明２は引用発明１に基いて容易になし得るものであると主張しているが，仮に引用発明１の「複数の袋体のうちの一部の袋体に所定量の空気を流入させ，その後，流入した空気よりも少量の空気をその流入させた時間よりも短時間流出させ，袋体４内への空気の流入，流出を交互に繰返して袋体の膨縮を行い，身体に圧迫を掛けながら前記空気袋の膨縮動作を複数回繰り返す」を「給気と排気を，給気と排気の間に空気袋を一定時間とどめる時間を介することなく繰り返す」ものであると解釈したとしても，本件発明２の「給気と排気を，給気と排気の間に空気袋を一定時間とどめる時間を介することなく繰り返す時間（Ｔ３）」は，「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御するもの」において，「時間（Ｔ３）において，給気時間（Ｔ１）の間に給気したエアよりも少量のエアをその給気時間（Ｔ１）よりも短時間排気させ再びエアを前記給気時間（Ｔ１）よりも短時間給気させて空気袋の膨縮を行い，身体に圧迫を掛けながら前記空気袋の膨縮動作を複数回繰り返す制御を行う」ものであり，引用発明１は，このような本件発明２の「給気と排気を，給気と排気の間に空気袋を一定時間とどめる時間を介することなく繰り返す時間（Ｔ３）」を備えているとはいえない。
　また，引用発明１に引用発明２を適用する際に，指圧マッサージ動作を行っている引用発明２から，「空気袋２２に空気を供給し，空気袋２２に対して給気と排気の間に空気袋を一定時間留める時間を介在させ」る構成のみを排除した構成を引用発明１の空気袋の膨縮動作を行う制御に適用し，上記相違点４に係る発明特定事項とすることの格別の理由が引用発明１，引用発明２及び提出された甲第２号証ないし甲第１１号証に存在しているとはいえない。
　したがって，本件発明２は，引用発明１，引用発明２及び提出された甲第２号証ないし甲第１１号証に基いて当業者が容易に想到し得たものとはいえない。
　また，請求人は，平成２０年２月１８日付け上申書と共に甲第１２号証ないし甲第１５号証を提出し，複数種類のマッサージ動作を組み合わせてマッサージを行うマッサージ機が周知であると主張しているが，このような構成が周知であったとしても，引用発明１及び引用発明２に基いて，本件発明２に係る発明特定事項の「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御する」構成を当業者が容易に想起しえたものとはいえない。
　また，請求人は，同上申書と共に甲第１６号証ないし甲第１８号証を提出し，給気動作から排気動作に移る際，給気及び排気が共に一定時間停止するロータリーバルブが周知である旨主張しているが，例えこのような構成が周知であったとしても，本件発明２の発明特定事項である「空気袋に給気のみを行う給気時間（Ｔ１）と，給気された空気袋を一定時間とどめる時間（Ｔ２）と，給気と排気を，給気と排気の間に空気袋を一定時間とどめる時間を介することなく繰り返す時間（Ｔ３）とによるたたき動作を制御する」ことを示唆するものではないから，請求人の当該主張は採用できない。
　また，甲第７号証の上記記載事項（上記「第７　６．ａ．ないしｅ．」参照）から，甲第７号証の「エアーベルト５ａ」に対する給気および排気の制御も，給気と排気の間に空気袋を一定時間とどめる時間を介在させているから，甲第７号証に記載された事項に基いて，上記相違点４に係る本件発明２の発明特定事項を当業者が容易に想到し得るものではない。
　また，請求人の提出した他の証拠に記載された事項に基いて，上記相違点４に係る本件発明２の発明特定事項を当業者が容易に想到し得るものでもない。
　　
　したがって，本件発明２は，引用発明１，引用発明２及び周知技術に基いて，当業者が容易に発明をすることができたものであるとすることはできない。
　
第９　むすび
　以上，請求人の主張する理由および提出した証拠方法によっては，本件発明１ないし本件発明２に係る特許を無効とすることができない。 
　
　また他に，本件発明１ないし本件発明２に係る特許を無効とすべき理由を発見しない。 
　
　審判に関する費用については，特許法第１６９条第２項の規定において準用する民事訴訟法第６１条の規定により，請求人が負担すべきものとする。 
 　よって，結論のとおり審決する。